(57)【特許請求の範囲】
【請求項１】
給水ポンプを運転制御する制御手段を具備する給水ポンプ制御装置であって、
前記制御手段は、電源が遮断されてから再び電源が供給されるまで運転に必要な情報を記憶保持することができる書き換え可能な不揮発性の記憶手段と、該記憶手段へ情報を書き込む書き込み手段と、該記憶手段に書き込まれた情報を読み出す読み出し手段と、運転情報及び警報情報を表示する手段と、電源の遮断及び復電を検出する検出手段を備え、
電源遮断時に直前のポンプ運転情報を前記記憶手段へ書き込み、復電時に該記憶手段から情報を読み出し、電源遮断時直前と同じ状態で給水ポンプの運転を再開することを特徴とする給水ポンプ制御装置。
【請求項２】
前記制御手段は、一定時間間隔発生手段を備え、該一定時間毎に前記記憶手段の給水ポンプの運転情報を書き換えることを特徴とする請求項１に記載の給水ポンプ制御装置。
【請求項３】
前記制御手段は、前記給水ポンプの運転情報が変化した時に少なくとも該変化した運転情報を前記記憶手段に書き換えることを特徴とする請求項１に記載の給水ポンプ制御装置。
【発明の詳細な説明】
【０００１】
【産業上の利用分野】
本発明は給水ポンプの運転制御を行う給水ポンプ制御装置に関し、特に停電等の電源遮断時直前の給水ポンプの運転情報を記憶し、復電に際し、該記憶された運転情報に基づいて給水ポンプを運転し、給水ポンプの運転を電源遮断時直前の状態に復帰させることができる給水ポンプ制御装置に関するものである。
【０００２】
【従来技術】
従来、この種の給水ポンプ制御装置の駆動電源には給水ポンプの駆動電源と同様の商用交流電源が使用される場合が多く、運転状態を記憶しないスイッチを使用した場合、停電により電源が遮断され、その後復電すると初期状態になり運転が再開できず、断水という重大な不具合を引き起こす。
【０００３】
また、警報情報、運転来歴等のメンテナンス情報は、給水ポンプが設置されている間表示等で確認するために、継続して記憶することが必要となる。従来このような不具合を避けるために、バッテリーやコンデンサを使用した補助電源回路を設けて給水ポンプの運転情報を記憶していた。
【０００４】
【発明が解決しようとする課題】
しかしながら、上記バッテリーやコンデンサを使用した補助電源回路を設けて給水ポンプの運転情報を記憶する方法は、いずれも下記のような問題がある。
▲１▼バッテリーの電気的寿命がくればバッテリーを交換する必要がある。
▲２▼コンデンサーは電気的容量から長時間の情報記憶は困難である。
【０００５】
本発明は上述の事情に鑑みてなされたもので、停電等により電源が遮断した場合、給水ポンプの運転情報を記憶するために補助電源回路を別に設けることなく、情報を長期間に渡って記憶保持することができ、復電時に電源遮断時直前の運転状態に給水ポンプを復帰させることができる給水ポンプ制御装置を提供することを目的とする。
【０００６】
【課題を解決するための手段】
上記課題を解決するため本発明は、給水ポンプを運転制御する制御手段を具備する給水ポンプ制御装置であって、制御手段は、電源が遮断されてから再び電源が供給されるまで運転に必要な情報を記憶保持することができる書き換え可能な不揮発性の記憶手段と、該記憶手段へ情報を書き込む書き込み手段と、該記憶手段に書き込まれた情報を読み出す読み出し手段と、運転情報及び警報情報を表示する手段と、電源の遮断及び復電を検出する検出手段を備え、電源遮断時に直前のポンプ運転情報を記憶手段へ書き込み、復電時に該記憶手段から情報を読み出し、電源遮断時直前と同じ状態で給水ポンプの運転を再開することを特徴とする。
【０００７】
また、制御手段は、一定時間間隔発生手段を備え、該一定時間毎に前記記憶手段の給水ポンプの運転情報を書き換えることを特徴とする。
【０００８】
また、制御手段は、給水ポンプの運転情報が変化した時に少なくとも該変化した運転情報を記憶手段に書き換えることを特徴とする。
【０００９】
【作用】
本発明は停電等の電源遮断時に直前のポンプ運転情報を不揮発性の記憶手段へ書き込むので、該給水ポンプ運転情報を記憶するために補助電源回路を別に設けることなく、情報を短期間に渡って記憶保持でき、復電時に該記憶手段から情報を読み出し、電源遮断時直前と同じ状態で給水ポンプの運転を再開することができる。
【００１０】
【実施例】
以下、本発明の実施例を図面に基づいて説明する。図１は給水ポンプ制御装置の構成を示す図である。図示するように、給水ポンプ制御装置は、入力部１、ＣＰＵ２、出力部３、表示部４、不揮発性記憶素子（不揮発性ＲＡＭ等）５、直流電源ユニット６及び停電検出回路７で構成される。直流電源ユニット６には交流電源が接続され、該交流を直流に変換し、ＣＰＵ２等の各部に供給する。また、出力部３から給水ポンプ駆動部８にポンプ運転制御信号が出力される。
【００１１】
直流電源ユニット６の直流電源を停電検出回路７で監視して、ＣＰＵ２へ供給する。該ＣＰＵ２は予め定められた制御内容に従い、入力部１からの入力情報により出力部３に制御結果を出力する。この出力部３の出力は表示部４などに接続されている。ＣＰＵ２は不揮発性記憶素子５に接続され、ＣＰＵ２により情報が不揮発性記憶素子５へ書き込まれ、ＣＰＵ２により情報が不揮発性記憶素子５から読み込まれる。
【００１２】
図２は図１に示す給水ポンプ制御装置の動作フローを示す図である。電源が投入されると（ステップＳＴ１０）、予め決められた制御動作プログラムにより動作処理を開始し、不揮発性記憶素子５から情報を読み込み（ステップＳＴ１１）、その情報を基に制御動作を行うためにの初期設定を行う（ステップＳＴ１２）。
【００１３】
続いて入力部１からの入力情報の入力処理を行い（ステップＳＴ１３）、前記初期設定及び入力処理に基づいて給水ポンプを制御する制御処理を行う（ステップＳＴ１４）。これにより出力部３からポンプ運転制御信号が給水ポンプ駆動部８に出力され、給水ポンプは不揮発性記憶素子５から読み込まれた情報及び入力部１から入力された情報に基づいて運転される。
【００１４】
次に、該制御処理の結果を出力する出力処理を行い（ステップＳＴ１５）、続いて、停電検出回路７で停電が検出されたか否かを判断し（ステップＳＴ１６）、停電状態にあれば、即座に不揮発性記憶素子５へ運転情報、警報情報、メンテナンス情報等の給水ポンプ運転に必要な情報を書き込む（ステップＳＴ１７）。
【００１５】
電源が復帰したときは、最初の電源投入時の動作となり（ステップＳＴ１０）、不揮発性記憶素子５には停電直前の運転情報、警報情報、メンテナンス情報が記憶されている為、給水ポンプは停電直前の状態と同じ状態で復帰する。
【００１６】
なお、上記実施例では、停電検出回路７で停電が検出された時、不揮発性記憶素子５へ運転情報、警報情報、メンテナンス情報等の給水ポンプ運転に必要な情報を書き込むように構成したが、これに限定されるものではなく、一定時間間隔発生手段を備え、一定時間毎に不揮発性記憶素子５へ運転情報、警報情報、メンテナンス情報等の給水ポンプ運転に必要な情報を書き込むように構成し、停電検出回路７で停電が検出された時、直前に記憶されたこれらの情報を読み込むことができるように構成しても良い。
【００１７】
また、給水ポンプの運転情報が変化した時に該変化した運転情報を不揮発性記憶素子５へ書き換えるようにしてもよい。
【００１８】
【発明の効果】
以上、説明したように本発明によれば下記のような優れた効果が得られる。
（１）停電等の電源遮断時において給水ポンプの運転状態の各種情報を補助電源回路を必要としない不揮発性記憶素子に書き込むことにより、長期に渡り記憶保持が可能となり、電源復帰時に電源遮断時直前の運転状態と同じ運転状態で運転が再開され、ポンプ停止による断水という重大な不具合を回避できる。
【００１９】
（２）また、警報情報、メンテナンス情報等の給水ポンプの設置期間を継続的に監視する必要がある情報などについて、電源遮断後、電源復帰時に初期状態に戻ることなく、電源遮断時直前の情報に復帰させることができる。
【図面の簡単な説明】
【図１】本発明の給水ポンプ制御装置の構成を示す図である。
【図２】本発明の給水ポンプ制御装置の動作フローを示す図である。
【符号の説明】
１            入力部
２            ＣＰＵ
３            出力部
４            表示部
５            不揮発性記憶素子
６            直流電源ユニット
７            停電検出回路
８            給水ポンプ駆動部
【図１】
0003576624.tif 000002
【図２】
0003576624.tif 000003